【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】
ＣＤＭＡ信号を受信し、これを中間周波数信号にダウン・コンバートするダウン・コンバート手段と、生成された前記中間周波数信号をディジタル化するアナログ・ディジタル変換手段と、ディジタル化された前記中間周波数信号をＩＱ復調し、得られたＩ、Ｑ各成分に対して逆スクランブル及び逆拡散の処理を施してコード・ドメイン・パワーの計算をするディジタル信号処理手段と、該ディジタル信号処理手段からの信号を受けてコード・ドメイン・パワー表示を行う表示手段とを備えた、ＣＤＭＡ信号解析におけるコード・ドメイン・パワーを表示するための装置であって、前記ディジタル信号処理手段は、ＩＱ復調して得られた振幅及び位相情報を含んだＩ、Ｑ各成分の信号に対して夫々個別に逆スクランブル及び逆拡散の処理を施し、該逆スクランブル及び逆拡散の処理によって得られた２つの異なる信号から、Ｉ軸及びＱ軸に関するコード・ドメイン・パワーの計算を実行し、計算したＩ軸及びＱ軸夫々のコード・ドメイン・パワーを前記表示手段に識別可能に表示させることを特徴とする装置。
【請求項２】
ＣＤＭＡ信号を受信し、これを中間周波数信号にダウン・コンバートするダウン・コンバート手段と、生成された前記中間周波数信号をディジタル化するアナログ・ディジタル変換手段と、ディジタル化された前記中間周波数信号をＩＱ復調し、得られたＩ、Ｑ各成分に対して逆スクランブル及び逆拡散の処理を施してコード・ドメイン・パワーの計算をするディジタル信号処理手段と、該ディジタル信号処理手段からの信号を受けてコード・ドメイン・パワー表示を行う表示手段とを備えた、ＣＤＭＡ信号解析におけるコード・ドメイン・パワーを表示するための装置であって、前記ディジタル信号処理手段は、ＩＱ復調して得られた振幅及び位相情報を含んだＩ、Ｑ各成分の信号に対して夫々個別にＢＰＳＫ変調信号として逆スクランブル及び逆拡散の処理を施し、該逆スクランブル及び逆拡散の処理によって得られた２つの異なる信号から、Ｉ軸及びＱ軸に関するコード・ドメイン・パワーの計算を実行し、計算したＩ軸及びＱ軸夫々のコード・ドメイン・パワーを前記表示手段に識別可能に表示させることを特徴とする装置。
【請求項３】
ＣＤＭＡ信号を受信し、これを中間周波数信号にダウン・コンバートするダウン・コンバート手段と、生成された前記中間周波数信号をディジタル化するアナログ・ディジタル変換手段と、ディジタル化された前記中間周波数信号をＩＱ復調し、得られたＩ、Ｑ各成分に対して逆スクランブル及び逆拡散の処理を施してコード・ドメイン・パワーの計算をするディジタル信号処理手段と、該ディジタル信号処理手段からの信号を受けてコード・ドメイン・パワー表示を行う表示手段とを備えた、ＣＤＭＡ信号解析におけるコード・ドメイン・パワーを表示するための装置であって、前記ディジタル信号処理手段は、ＩＱ復調して得られた振幅及び位相情報を含んだＩ成分及びＱ成分の信号に対して、ＱＰＳＫ変調信号として第１のスクランブル・コードによって逆スクランブル及び逆拡散の処理を施すと同時に、第２のスクランブル・コードによっても逆スクランブル及び逆拡散の処理を施すように動作し、各スクランブル・コードによる逆スクランブル／逆拡散処理によって得られた２つの異なる信号から夫々のコード・ドメイン・パワーの計算を実行し、前記各スクランブル・コードに対応するコード・ドメイン・パワーを前記表示手段において識別可能に表示させることを特徴とする装置。
【請求項４】
前記ディジタル信号処理手段は、前記表示手段をして、前記２つの異なる信号から計算したコード・ドメイン・パワーを夫々異なる次元軸に表示せしめることを特徴とする、請求項１乃至請求項３のいずれか一項に記載の装置。
【請求項５】
前記ディジタル信号処理手段は、前記表示手段をして、前記２つの異なる信号から計算したコード・ドメイン・パワーを夫々同次元軸上に積み重ねて表示せしめることを特徴とする、請求項１乃至請求項３のいずれか一項に記載の装置。
【請求項６】
前記ディジタル信号処理手段は、前記表示手段をして、前記２つの異なる信号から計算したコード・ドメイン・パワーを色又は模様によって視覚的に識別可能に表示せしめることを特徴とする、請求項１乃至請求項５のいずれか一項に記載の装置。
【請求項７】
コード・ドメイン・パワーを表示するための方法であって、ＣＤＭＡ信号を周波数変換し、中間周波数信号を生成するステップと、前記中間周波数信号をアナログ・ディジタル変換するステップと、前記アナログ・ディジタル変換ステップにおいてディジタル化された中間周波数信号に対してＩＱ復調を施すステップと、前記ＩＱ復調ステップにおいて得られたＩ成分信号及びＱ成分信号夫々に対して、これらを夫々個別に逆スクランブル及び逆拡散処理を施すステップと、前記逆スクランブル及び逆拡散処理ステップにおいて得られた各信号から、Ｉ軸のコード・ドメイン・パワーとＱ軸のコード・ドメイン・パワーを夫々計算し表示させるステップとを設けて成る方法。
【請求項８】
コード・ドメイン・パワーを表示するための方法であって、ＣＤＭＡ信号を周波数変換し、中間周波数信号を生成するステップと、前記中間周波数信号をアナログ・ディジタル変換するステップと、前記アナログ・ディジタル変換ステップにおいてディジタル化された中間周波数信号に対してＩＱ復調を施すステップと、前記ＩＱ復調ステップにおいて得られたＩ成分信号及びＱ成分信号夫々に対して、これらを夫々ＢＰＳＫ変調信号として逆スクランブル及び逆拡散処理を施すステップと、前記逆スクランブル及び逆拡散処理ステップにおいて得られた各信号から、Ｉ軸のコード・ドメイン・パワーとＱ軸のコード・ドメイン・パワーを夫々計算し表示させるステップとを設けて成る方法。
【請求項９】
コード・ドメイン・パワーを表示するための方法であって、ＣＤＭＡ信号を周波数変換し、中間周波数信号を生成するステップと、前記中間周波数信号をアナログ・ディジタル変換するステップと、前記アナログ・ディジタル変換ステップにおいてディジタル化された中間周波数信号に対してＩＱ復調を施すステップと、前記ＩＱ復調ステップにおいて得られたＩ成分信号及びＱ成分信号の２つの信号に対して、これらをＱＰＳＫ変調信号として第１のスクランブル・コード及び第２のスクランブル・コードで夫々逆スクランブル及び逆拡散処理を施すステップと、前記逆スクランブル及び逆拡散処理ステップにおいて得られた各信号から、前記第１のスクランブル・コードによるコード・ドメイン・パワーと前記第２のスクランブル・コードによるコード・ドメイン・パワーを夫々計算し表示させるステップとを設けて成る方法。
【請求項１０】
前記コード・ドメイン・パワー計算及び表示ステップにおいて、計算したコード・ドメイン・パワーを夫々異なる次元軸に表示させることを特徴とする、請求項７乃至請求項９のいずれか一項に記載の方法。
【請求項１１】
前記コード・ドメイン・パワー計算及び表示ステップにおいて、計算したコード・ドメイン・パワーを同次元軸上に積み重ねて表示させることを特徴とする請求項７乃至請求項９のいずれか一項に記載の方法。
【請求項１２】
前記コード・ドメイン・パワー計算及び表示ステップにおいて、計算したコード・ドメイン・パワーを色又は模様によって視覚的に識別可能に表示させることを特徴とする、請求項７乃至請求項１１のいずれか一項に記載の方法。